(57)【要約】【課題】  肩ベルトが使用者の肩にフィットして、ランドセル等の背負い鞄がずれにくいベルト取付具を提供する。【解決手段】  背負い鞄の背当て部の上部に取着される本体１１と、本体１１に取着された左右１対の連結環取着部材１２、１２と、各連結環取着部材１２に形成された挿通孔１５に挿通されて、背負い鞄の肩ベルト２が連結される連結環１３とを有し、各挿通孔１５は、背当て部に対して外側開口端１５ａが内側開口端１５ｂよりも前方に位置するように、平面視において軸方向が本体１１の左右方向に対して傾斜しているベルト取付具１。【選択図】  図１
2006068430.tif 000002
【特許請求の範囲】
【請求項１】
背負い鞄の背当て部の上部に取着される本体と、
前記本体に取着された左右１対の連結環取着部材と、
前記各連結環取着部材に形成された挿通孔に挿通されて、背負い鞄の肩ベルトが連結される連結環と、
を有するベルト取付具であって、
前記各挿通孔は、前記背当て部に対して外側開口端が内側開口端よりも前方に位置するように、平面視において軸方向が前記本体の左右方向に対して傾斜している
ことを特徴とするベルト取付具。
【請求項２】
請求項１記載のベルト取付具が取着されたことを特徴とするランドセル。
【発明の詳細な説明】
【技術分野】
【０００１】
本発明は、肩ベルトをランドセル、リュックサック等の背負い鞄の背当て部上部に連結するために用いられるベルト取付具、及び、そのようなベルト取付具を用いたランドセルに関する。
【背景技術】
【０００２】
図８に示すように、従来のベルト取付具１０１は、本体１１１と、本体１１１に揺動可能に取着された左右一対の連結環取着部材１１２、１１２とを備えている。各連結環取着動部材１１２に設けられた挿通部１１５には、挿通孔１１４が形成され、各挿通孔１１４には略三角形のリング状の連結環１１３が挿通されて、各連結環１１３は上下方向に回動自在とされている。そして、各連結環１１３に肩ベルト（背負いベルト）１０２が巻着されて、各肩ベルト１０２は連結環１１３を軸に回動自在とされている。そして、ベルト取付具１０１は、図９に示すように、ランドセルＲ１の背当て部１０３の上部１０３ａに取着される。
【０００３】
なお、従来のベルト取付具としては、下記特許文献１に示すものがある。
【特許文献１】登録実用新案第３０９４６２０号公報
【発明の開示】
【発明が解決しようとする課題】
【０００４】
しかし、ベルト取付具１０１は、図１０に示すように、平面視において、挿通孔１１４の軸方向が本体１１１の左右方向（図１０紙面左右方向）に略一致しており、挿通孔１１４、１１４の軸線が略一直線上にあるため、使用者が背負った場合に、挿通孔１１４、１１４に挿通された連結環１１３、１１３が、略同一平面上にあることとなり、連結環１１３、１１３に連結された肩ベルト１０２、１０２の端部１０２ａ、１０２ａも、略同一平面上にあることとなる。
【０００５】
このため、図９に示すように、丸みのある使用者の肩の周囲と肩ベルト１０２、１０２との間に矢印Ａで示すような空きができて、肩ベルト１０２、１０２が使用者の肩の周囲にフィットせず、ランドセルＲ１がずれて使用感が良くないという問題があった。
【０００６】
この発明は、上述した問題を解決するものであり、肩ベルトが使用者の肩にフィットして、ランドセル等の背負い鞄がずれにくいベルト取付具、及び、肩ベルトが使用者の肩にフィットして、ずれにくく、使用感が良いランドセルを提供することを目的とする。
【課題を解決するための手段】
【０００７】
本発明のベルト取付具は、背負い鞄の背当て部の上部に取着される本体と、前記本体に取着された左右１対の連結環取着部材と、前記各連結環取着部材に形成された挿通孔に挿通されて、背負い鞄の肩ベルトが連結される連結環と、を有するベルト取付具であって、前記各挿通孔は、前記背当て部に対して外側開口端が内側開口端よりも前方に位置するように、平面視において軸方向が前記本体の左右方向に対して傾斜していることを特徴とする。
【０００８】
本発明のランドセルは、本発明のベルト取付具が取着されたことを特徴とする。
【発明の効果】
【０００９】
本発明のベルト取付具は、連結環が挿通される各挿通孔の軸方向が、平面視においてベルト取付具本体の左右方向に対して傾斜し、各挿通孔の外側開口端が内側開口端よりも前方に位置しているので、使用者が背負い鞄を背負ったときに、挿通孔に挿通された連結環が互いに向き合い、連結環に連結される肩ベルトの端部が、内側に捻られたような状態となる。このため、肩ベルトと使用者の肩の周囲との間の空きが小さくなり、肩ベルトが使用者の肩にフィットして、背負い鞄がずれにくくなる。
【００１０】
本発明のランドセルは、本発明のベルト取付具が取着されているので、肩ベルトが使用者の肩にフィットして、ランドセルがずれにくく、使用感が良い。
【発明を実施するための最良の形態】
【００１１】
以下、本発明の一実施形態を図面に基づいて説明する。
【００１２】
図１〜図３に示すように、ベルト取付具１は、合成樹脂製の本体１１と、本体１１の左右の側部に取着された左右一対の連結環取着部材１２、１２と、連結環取着部材１２、１２の挿通部１６、１６に取着された左右一対の連結環１３、１３とを備えている。また、本体１１の中央部には、吊下環１４が取着されている。以下の説明において、本体１１乃至はベルト取付具１について、左右方向、前後方向、上下方向と言うときは、ベルト取付具１が取着されたランドセルＲを背負った状態（図７参照）での使用者にとっての左右方向、前後方向、上下方向にそれぞれ一致する方向を言う。
【００１３】
各連結環取着部材１２は、合成樹脂製で、図２に示すように、下部１７が本体１１内部に軸１８により軸着されて、左右方向に揺動可能とされ、本体１１内部に配設されたバネ部材１９により、互いに近づく方向に付勢されている。なお、左右方向とは、図１中矢印Ｂで示すように、図１紙面左右方向に相当する。
【００１４】
各連結環取着部材１２の上部１０は、本体１１の上端部に形成された孔１１ａ（図３参照）から、上方に突出している。各上部１０の上端部には挿通部１６が設けられ、各挿通部１６は、挿通孔１５が貫通された略円筒形状をなしている。そして、挿通部１６、１６は、図３に示すように、平面視において略ハ字形状をなしている。詳しくは、各挿通部１６は、外側端面１６ａが内側端面１６ｂよりも前方に位置するように、平面視において本体１１の左右方向（図３紙面左右方向）に対して傾斜している。なお、前方とは、図３及び図７中矢印Ｃで示される方向である。また、外側端面１６ａが内側端面１６ｂよりも前方に位置するとは、外側端面１６ａの少なくとも一部が、内側端面１６ｂよりも前方に位置していればよい意である。
【００１５】
これに伴って、挿通部１６、１６を長手方向に貫通する挿通孔１５、１５も、図４に示すように、平面視において略ハ字形状をなしている。詳しくは、各挿通孔１５は、外側開口端１５ａが内側開口端１５ｂよりも前方に位置するように、平面視において軸方向（図４矢印方向）が本体１１の左右方向（図４紙面左右方向）に対して傾斜している。なお、外側開口端１５ａが内側開口端１５ｂよりも前方に位置するとは、外側開口端１５ａの少なくとも一部が、内側開口端１５ｂよりも前方に位置していればよい意である。
【００１６】
また、各連結環取着部材１２は、本体１１の孔１１ａに挿通される部分の横断面が、図５に示すように、挿通部１６の形状と孔１１ａの形状とに合わせて、長方形でない略平行四辺形状とされている。
【００１７】
各連結環１３は、金属の丸棒を略三角形のリング状に折り曲げて形成され、両端部を挿通孔１５の両側から挿入することにより、両端部を軸として上下方向に回動可能に、挿通部１６に取着されている。
【００１８】
そして、図１及び図２の２点鎖線に示すように、各連結環１３の斜辺部１３ａに、肩ベルト２が巻着され、肩ベルト２は、斜辺部１３ａを軸として回動自在とされる。
【００１９】
本体１１は、図６及び図７に示すように、ランドセルＲの背当て部３の上部３ａに取着される。各肩ベルト２の一方の端部２１は、上述したように、ベルト取付具１に取着されるが、他方の端部２２は、ランドセルＲの底部６に、取付具４を介して取着される。
【００２０】
かかるランドセルＲを上方から見たとき、図６に示すように、挿通孔１５、１５が、背当て部３に対して外側開口端１５ａが内側開口端１５ｂよりも前方に位置するように、平面視において軸方向が本体１１の左右方向に対して傾斜していることから、挿通孔１５、１５に挿通された連結環１３、１３が互いに向き合うような状態となり、連結環１３、１３に連結された肩ベルト２、２の端部２１、２１が中央に寄って、端部２１、２１間が狭まった状態となる。
【００２１】
以上のように構成されたランドセルＲを使用者が背負うと、図７に示すように、連結環１３、１３に連結された肩ベルト２、２の端部２１、２１が、内側に捻られたような状態となる。このため、肩ベルト２、２と使用者の肩の周囲との間の空きが小さくなり、肩ベルト２、２が使用者の肩にフィットして、ランドセルＲがずれにくくなり、使用感が良くなる。
【００２２】
なお、本実施形態では、ベルト取付具１を取着する背負い鞄をランドセルＲとしたが、ベルト取付具１を、リュックサック等、他の種類の背負い鞄に取着してもよい。
【００２３】
また、本体１１や各連結環取着部材１２を、合成樹脂製ではなく金属製や木製としてもよい。
【００２４】
また、連結環１３を、略三角形状とせず、略四角形のリング状としてもよい。
【００２５】
すなわち、特許請求の範囲を逸脱しない範囲で、本発明は種々の構成を採り得る。
【図面の簡単な説明】
【００２６】
【図１】本発明の一実施形態に係るベルト取付具の正面図である。
【図２】図１のベルト取付具の背面図である。
【図３】図１のベルト取付具の平面図である。
【図４】図３の連結環を除いた図である。
【図５】図１のＶ−Ｖ部位断面図である。
【図６】図１のベルト取付具が取着されたランドセルの部分平面図であって、連結環を肩ベルトと共に図１の状態から下方に約９０度回動させた状態の図である。
【図７】図１のベルト取付具が取着されたランドセルの側面図であって、使用者が背負った状態の図である。
【図８】従来のベルト取付具の正面図である。
【図９】図８のベルト取付具が取着されたランドセルの側面図であって、使用者が背負った状態の図である。
【図１０】図８のベルト取付具が取着されたランドセルの部分平面図であって、連結環を肩ベルトと共に図８の状態から下方に約９０度回動させた状態の図である。
【符号の説明】
【００２７】
１…ベルト取付具
２…肩ベルト
３…背当て部
３ａ…上部
１１…本体
１２…連結環取着部材
１３…連結環
１５…挿通孔
１５ａ…外側開口端
１５ｂ…内側開口端
Ｒ…ランドセル
【図１】
2006068430.tif 000003
【図２】
2006068430.tif 000004
【図３】
2006068430.tif 000005
【図４】
2006068430.tif 000006
【図５】
2006068430.tif 000007
【図６】
2006068430.tif 000008
【図７】
2006068430.tif 000009
【図８】
2006068430.tif 000010
【図９】
2006068430.tif 000011
【図１０】
2006068430.tif 000012